(57)【要約】      （修正有）【課題】一般家庭のキッチンカウンタに設けられたラックに取り付けて、ペットボトル、紙パックなどの容器の水切りに使用できる保持具を提供する。【解決手段】保持具１は、ラックのワイヤー部に取り付けて使用し、ワイヤー部の上方から被せるようウニに装着する嵌合部４，ラックの一部に当接する回動係止部３及び挿入部２を備え、挿入部と係止部とで紙パックなどの容器を挟み込み安定的に保持し、水切りを行う。【選択図】図２
2010148789.tif 000002
【特許請求の範囲】
【請求項１】
容器の口に挿入される挿入部と、
キッチンに設けられたラックのワイヤー部に嵌合する嵌合部と、
前記ラックの一部に当接する回動防止部と、
を備えたことを特徴とする水切り用容器保持具
【請求項２】
前記挿入部に、弾性力を持った係止部を備えたことを特徴とする請求項１に記載の水切り用容器保持具
【請求項３】
前記嵌合部が異径の複数の円が連結された構造をもっていることを特徴とする請求項１乃至２の何れか一項に記載の水切り用容器保持具
【請求項４】
前記挿入部の幅が前記ワイヤー部のワイヤー間隔より小さいことを特徴とする請求項１乃至３の何れか一項に記載の水切り用容器保持具
【発明の詳細な説明】
【技術分野】
【０００１】
本発明はキッチンカウンタにおいて、簡便に牛乳パックやペットボトルなどを干すことができる保持装置に関わる。
【背景技術】
【０００２】
近年、ペットボトルおよび、ビン、カン、牛乳パックなどの空容器は資源ゴミとしてリサイクルされている。そのためには、一般的な家庭においてそれらを洗浄し乾燥させる必要がある。
従来、ペットボトルのような容器を乾燥させるためには、流し台の片隅に置く、食器乾燥機で乾燥させる、布巾掛けに吊るす、などの方法が行われている。
【発明の開示】
【発明が解決しようとする課題】
【０００３】
しかしながら、一般家庭のキッチンにおいて、ペットボトルや牛乳パックを乾かすだけのスペースは十分に確保されているとはいえず、これらを乾燥させているときは、キッチンの使い勝手が著しく悪化するという欠点があった。また、ペットボトルを倒立状態で保持することが難しく内部に水分が残ってしまう、牛乳パックが固定されていないために床などに飛散してしまうという問題もあった。
【０００４】
本発明は上記課題を解決するためのものであり、シンク内に設置されたラックのワイヤー部に勘合され、回動係止部により姿勢が安定した状態で固定され、簡単に牛乳パックやペットボトルを乾燥させることができる水切り用容器保持具を提供するものである。
【発明の効果】
【０００５】
本発明によれば、ペットボトルを倒立状態で、また牛乳パックを飛散しないようにしっかりと保持でき、キッチンの作業スペースを圧迫することのない保持装置が提供される。
【発明を実施するための最良の形態】
【０００６】
以下、本発明の水切り用容器保持具１の実施の形態について図を用いて説明する。本発明の水切り用容器保持具１は、ペットボトル、紙パックなどの水切りに用いられるもので、図１はシンク内のラック６にとりつけた状態を示す斜視図であり、図２は水切り用容器保持具の斜視図であり、図３は水切り用容器保持具の側面図であり、図４は水切り用容器保持具とラックの勘合部の拡大図である。
【０００７】
水切り用容器保持具１は図１に示したように、キッチンカウンタに設けられたラック６のワイヤー部７に取り付けて使用される。
このラック６はその少なくとも一部上面がワイヤーによって構成されていれば、どのような形状、どのような目的のラックでもよい。
【０００８】
この水切り用容器保持具１は、ラック６のワイヤー部７に着脱自在に取り付けられる勘合部４を備えている。水切り用容器保持具１は、ワイヤー部７の上方から被せるようにして装着させることで、勘合部４にワイヤー部７が勘合される。
本実施例では、上方から被せて装着する嵌合部４を採用したが、弾性力によってワイヤー部７を挟み込むなど、ワイヤー部７に水切り用容器保持具１を嵌合可能であればどのような構成であってもよい。
【０００９】
勘合部４は好ましくは、異径の複数の円を連結した形状となる。これにより、複数の線径をもつワイヤー部７と勘合が可能となる。実施例においては、二つの異なる径をもつワイヤー部７と勘合可能となるように、だるま形のような二つの円が連結した形状を持つ。
太い径をもつワイヤー部７であれば、図４ａのように勘合部４の下方と勘合し、水切り用容器保持具１を支持することになる。一方、細い径をもつワイヤー部７の場合は図４ｂのように、勘合部４の上方と勘合することにより、水切り用容器保持具１を支持する。より多数の円が連結した形状の場合も、各径に対応する勘合部４の部分と勘合することで、水切り用容器保持具１を支持する。
【００１０】
水切り用容器保持具１の下部、勘合部４近傍には、回動係止部３が設けられている。
回動係止部３はラック６を構成する部位である縦のワイヤー部７ａ、７ｂと当接することで水切り用容器保持具１全体が回動することを防止する。これにより、水切り用容器保持具１はペットボトル、紙パックなどを保持した状態においても、安定した姿勢で固定される。
回動係止部３はペットボトルなどの保持される容器と自重によって発生する回転モーメントに耐えうる強度、面積の範囲内であれば適宜設計することが可能である。また、本実施例においては５回動係止部３は長方形であるが、図８に示したように上記範囲内であれば意匠性の高い形状や、円、正方形などであってもよい。
【００１１】
水切り用容器保持具１の上部にはペットボトルの口に差し込まれる挿入部２が設けられている。ペットボトルが挿入された状態の水切り用容器保持具１を図５に示す。
挿入部２にはペットボトルなどの容器が差し込まれる側からその下方に向かって所定の幅を有する形状を呈して成形されている。挿入部２はペットボトルなどの容器を安定的に保持するために、少なくとも2cm以上の長さである必要があるが、安定的に保持できる範囲において自由な長さであってよい。
ペットボトルが挿入された状態の水切り用容器保持具１とシンクの全景を図１０に示した。
【００１２】
水切り用容器保持具１は好ましくは弾性力を有する係止部５を有する。挿入部２と係止部５とには紙パックなどの容器が挟み込まれ固定される。この際、係止部５は弾性力を有するため、紙パックを安定した姿勢で固定することができる。紙パックを保持した状態の水切り用容器保持具１を図６に示す。
本実施例において、係止部５は弾性力を有する板ばねによって構成されているが、弾性力によって紙パックなどの容器を挟み込み、固定することが可能であればどのような部材であってもかまわない。
【００１３】
水切り用容器保持具１を使用し、ペットボトル、または紙パックの水切りを行っていない場合、図９に示したように水切り用容器保持具１は縦のワイヤー部７ａ、７ｂの間に納まり、他の作業の邪魔になることがない。
【図面の簡単な説明】
【００１４】
【図１】ラック６にとりつけられた水切り用容器保持具１の斜視図
【図２】水切り用容器保持具１の斜視図
【図３】水切り用容器保持具１の側面図
【図４】水切り用容器保持具１とワイヤー部７の勘合の斜視図
【図５】水切り用容器保持具１にペットボトルを挿入した状態を示す図
【図６】水切り用容器保持具１に牛乳パックを係止させた状態を示す図
【図７】ワイヤー部７と勘合部４の勘合の様子を示す図
【図８】回動係止部３の変形例
【図９】未使用時の水切り用容器保持具１を示す図
【図１０】水切り用容器保持具１にペットボトルを挿入した状態を示す全景斜視図
【符号の説明】
【００１５】
１……水切り用容器保持具
２……挿入部
３……回動係止部
４……勘合部
５……係止部
６……ラック
７……ワイヤー部
【図１】
2010148789.tif 000003
【図２】
2010148789.tif 000004
【図３】
2010148789.tif 000005
【図４】
2010148789.tif 000006
【図５】
2010148789.tif 000007
【図６】
2010148789.tif 000008
【図７】
2010148789.tif 000009
【図８】
2010148789.tif 000010
【図９】
2010148789.tif 000011
【図１０】
2010148789.tif 000012